(57)【要約】【課題】  取り付けられた押しボタンに応じた機能の指示を機器に供給する。【解決手段】  内視鏡１０の操作部１２にボタン取付部１４（凹陥部）を設ける。凹陥部の底面に第１ないし第３の電極を設ける。ボタン取付部１４には、複数の押しボタン２１、２２、２３、２４を着脱可能に取り付けることができる。押しボタン２１、２２、２３、２４の底面のそれぞれ異なる位置に導通部を設ける。４つの押しボタンから、第１の押しボタン２１をボタン取付部１４に取り付ける。第１の押しボタン２１を押圧すると、押しボタン２１の導通部によって、第１および第２の電極が導通する。４つの押しボタンから、第２の押しボタン２２をボタン取付部１４に取り付ける。第２の押しボタン２２を押圧すると、押しボタン２２の導通部によって、第２および第３の電極が導通する。【選択図】          図１
2005276500.tif 000002
【特許請求の範囲】
【請求項１】
第１および第２の導通部がそれぞれ底面に配設された第１および第２の押しボタンと、
前記第１および第２の押しボタンの一方を着脱可能に取り付けることができ、機器本体に設けられたボタン取付部と、
前記第１または第２の押しボタンが前記ボタン取付部に取り付けられたとき、前記第１または第２の押しボタンの底面に対向する位置に配設される第１ないし第３の電極を少なくとも有する電極部とを備え、
前記第１の押しボタンが前記ボタン取付部に取り付けられたとき、前記第１の押しボタンが押圧されると、前記第１の導通部が、前記第１と第２の電極とを導通させ、前記第２の押しボタンが前記ボタン取付部に取り付けられたとき、前記第２の押しボタンが押圧されると、前記第２の導通部が、前記第３の電極と、前記底面に対向する位置に配設された他の電極とを導通させることを特徴とする押しボタン機構。
【請求項２】
前記ボタン取付部は、前記機器本体に形成された凹陥部であり、前記第１および第２の押しボタンは、前記凹陥部に係合され、取り付けられること特徴とする請求項１に記載の押しボタン機構。
【請求項３】
前記第１ないし第３の電極は、前記凹陥部の底面に配設されることを特徴とする請求項２に記載の押しボタン機構。
【請求項４】
前記第１および第２の押しボタンは、外周が円形を呈し前記凹陥部に係合される係合部を有することを特徴とする請求項３に記載の押しボタン機構。
【請求項５】
前記係合部が、前記凹陥部に螺着されることにより、前記第１および第２の押しボタンが、前記ボタン取付部に取り付けられることを特徴とする請求項４に記載の押しボタン機構。
【請求項６】
前記第１および第２の押しボタンの係合部は、略同一形状を有することを特徴とする請求項４に記載の押しボタン機構。
【請求項７】
前記第１ないし第３の電極は、それぞれ円環を呈し、同心円状に形成されることを特徴とする請求項４に記載の押しボタン機構。
【請求項８】
前記第１ないし第３の電極と、前記係合部の外周は同心円状に形成されることを特徴とする請求項４に記載の押しボタン機構。
【請求項９】
前記第１および第２の導通部は、前記底面から突出することを特徴とする請求項１に記載の押しボタン機構。
【請求項１０】
前記第１および第２の導通部は、前記底面において異なる位置に設けられることを特徴とする請求項１に記載の押しボタン機構。
【請求項１１】
前記第１および第２の導通部は、前記底面の中心からの距離が異なる位置に設けられることを特徴とする請求項１０に記載の押しボタン機構。
【請求項１２】
前記第２の押しボタンが押圧されると、前記第２の導通部が、前記第３の電極と前記第２の電極とを導通させることを特徴とする請求項１に記載の押しボタン機構。
【請求項１３】
前記第２の押しボタンが押圧されると、前記第２の導通部が、前記第１ないし第３の電極を全て導通させることを特徴とする請求項１に記載の押しボタン機構。
【請求項１４】
前記第１および第２の押しボタンの表面が、それぞれ異なる色を有することを特徴とする請求項１に記載の押しボタン機構。
【請求項１５】
前記第２の導通部は、前記底面から突出する第１および第２の導通突起と、前記第１および第２の導通突起を導通させる接続部とを有することを特徴とする請求項１に記載の押しボタン機構。
【請求項１６】
スコープ部の操作部に設けられた少なくとも２つの同形状の凹陥部であって、前記凹陥部の底面に少なくとも３つの電極を有するボタン取付部と、
前記ボタン取付部に着脱可能に取り付けることができる色分けされた少なくとも３つのボタンであって、底面に前記ボタンが前記ボタン取付部に取り付けられた時に前記少なくとも３つの電極のうちの２つの電極に対向する導通部が設けられた押しボタンと、
前記ボタン取付部に前記押しボタンが取り付けられ、前記押しボタンが押された時に、前記少なくとも３つの電極のうちのどの２つの電極が電気的に導通したかを検出する手段と
を備えた電子内視鏡用の押しボタン機構。
【請求項１７】
前記押しボタンに設けられたそれぞれの前記導通部は、前記３つの電極のうち互いに異なる組み合わせの２つの電極に対向することを特徴とする請求項１６に記載に押しボタン機構。
【発明の詳細な説明】
【技術分野】
【０００１】
本発明は、例えば医療用内視鏡の操作部に設けられた押しボタン機構に関する。
【背景技術】
【０００２】
医療用内視鏡システムにおいて、スコープ部で捉えられた画像は、例えばプロセッサを介して、モニタＴＶ等に映し出される。この映し出される画像は、スコープ部の操作部に設けられたボタンが操作されることにより、使用状況に応じた画像処理が施される（例えば特許文献１および特許文献２）。
【０００３】
ここで、画像処理の機能としては、例えば、フリーズ（静止画像取得）、コピー（静止画像記録）、エンハンス（輪郭強調）、輝度調整、色調調整等多岐に亘る。しかし、その画像処理が操作できるように、操作部に各画像処理に対応させて多くのボタンを設けてしまうと内視鏡の操作性が低下してしまう。
【特許文献１】特開２００２−１９０２２８号公報
【特許文献２】特開２００２−２５３８７号公報
【発明の開示】
【発明が解決しようとする課題】
【０００４】
ここで、内視鏡使用中に行われる画像処理は、その用途に応じて内視鏡使用前にある程度予測することができる。そこで、例えば内視鏡の操作部に画像処理のためのボタンを少数（例えば２つ）だけ設け、キーボードからの入力により、そのボタンの機能を内視鏡使用前に変更させることが考えられる。
【０００５】
しかし、キーボードからの入力によりボタンの機能を変更させると、外見上そのボタンの変更された機能を確認できない。したがって、内視鏡使用者は各ボタンの機能を十分に把握することは難しい。
【０００６】
そこで、本発明においては、内視鏡の操作部に取り付けられるボタンの機能を容易に変更でき、かつその変更されたボタンの機能を容易に把握できる押しボタン機構を提供することを目的とする。
【課題を解決するための手段】
【０００７】
本発明に係る押しボタン機構は、第１および第２の導通部がそれぞれ底面に配設された第１および第２の押しボタンと、第１および第２の押しボタンの一方を着脱可能に取り付けることができ、機器本体に設けられたボタン取付部と、第１または第２の押しボタンがボタン取付部に取り付けられたとき、第１または第２の押しボタンの底面に対向する位置に配設される第１ないし第３の電極を少なくとも有する電極部とを備える。そして、第１の押しボタンがボタン取付部に取り付けられたとき、第１の押しボタンが押圧されると、第１の導通部が、第１の電極と第２の電極とを導通させる。一方、第２の押しボタンがボタン取付部に取り付けられたとき、第２の押しボタンが押圧されると、第２の導通部が、第３の電極と、底面に対向する位置に配設された他の電極とを導通させる。
【０００８】
ボタン取付部は、機器本体に形成された凹陥部である場合、第１および第２の押しボタンは、凹陥部に係合され、取り付けられる。そして、第１ないし第３の電極は、凹陥部の底面に配設されることが好ましい。また、第１および第２の押しボタンは、外周が円形を呈し凹陥部に係合される係合部を有することが好ましい。さらに係合部が、凹陥部に螺着されることにより、第１および第２の押しボタンが、ボタン取付部に取り付けられることが好ましい。
【０００９】
第１および第２の押しボタンの係合部は、略同一形状を有することが好ましい。第１ないし第３の電極は、それぞれ円環を呈し、同心円状に形成され、さらに、第１ないし第３の電極と、係合部の外周は同心円状に形成されることが好ましい。
【００１０】
第１および第２の導通部は、底面から突出することが好ましい。さらに、第１および第２の導通部は、底面において異なる位置に設けられ、特に、第１および第２の導通部は、底面の中心からの距離が異なる位置に設けられることが好ましい。
【００１１】
第２の押しボタンが押圧されると、第２の導通部が、第３の電極と第２の電極とを導通させても良いし、第１ないし第３の電極を全て導通させても良い。また、第２の導通部は、底面から突出する第１および第２の導通突起と、第１および第２の導通突起を導通させる接続部とを有しても良い。また、好ましくは、第１および第２の押しボタンの表面が、それぞれ異なる色を有する。
【００１２】
本発明に係る電子内視鏡用の第２の押しボタン機構は、スコープ部の操作部に設けられた少なくとも２つの同形状の凹陥部であって、凹陥部の底面に少なくとも３つの電極を有するボタン取付部と、ボタン取付部に着脱可能に取り付けることができる色分けされた少なくとも３つのボタンであって、底面にボタンがボタン取付部に取り付けられた時に少なくとも３つの電極のうちの２つの電極に対向する導通部が設けられた押しボタンと、ボタン取付部に押しボタンが取り付けられ、押しボタンが押された時に、少なくとも３つの電極のうちのどの２つの電極が電気的に導通したかを検出する手段とを備える。
【００１３】
第２の押しボタン機構において、押しボタンに設けられたそれぞれの導通部は、３つの電極のうち互いに異なる組み合わせの２つの電極に対向することが好ましい。
【発明の効果】
【００１４】
本発明の押しボタン機構は、複数の押しボタンから選択された１つの押しボタンをボタン取付部に取り付けることにより、選択された押しボタンに応じた指示を容易に機器に供給することができる。
【発明を実施するための最良の形態】
【００１５】
以下本発明に係る実施形態を図１〜図８を用いて詳細に説明する。
【００１６】
図１は、本発明の一実施形態を適用した医療用内視鏡システムの電子内視鏡（スコープ部）１０の模式図を示す。スコープ部１０は、管腔内に挿入するための挿入部１１と、使用者が把持しスコープ部１０を操作するための操作部１２を有する。操作部１２は、接続部１３を有し、操作部１２は接続部１３を介して画像処理等をするためのプロセッサに接続される。挿入部１１は、その先端部に撮像素子（図示せず）を有する。撮像素子で捉えられた画像はプロセッサを介して、モニタＴＶ（図示せず）等に映し出され、使用者によって観察される。
【００１７】
操作部１２には、２つのボタン取付部１４、１５が設けられる。ボタン取付部１４、１５はいずれも、第１ないし第４の押しボタン２１、２２、２３、２４のうちの１つのボタンを着脱可能に取り付けることができる。ここで、第１ないし第４の押しボタンは、それぞれその表面（ボタンカバー５３（図６参照）の表面）が異なる色（例えば、赤、青、黄、緑色）を有する。
【００１８】
ボタン取付部１４、１５は、操作部１２に形成された略円柱状の凹陥部（凹状陥没部）である。第１ないし第４の押しボタン２１、２２、２３、２４は、凹陥部の内周面に係合するように固定される。
【００１９】
第１ないし第４の押しボタン２１、２２、２３、２４は、それぞれ異なる機能に対応する。例えば、第１の押しボタン２１は、フリーズ指示／解除機能、第２の押しボタン２２は、コピー指示機能、第３の押しボタン２３はエンハンス調整機能、そして第４の押しボタン２４は照明光の自動調光において被写体の明るさを求める際の測光モードの切替機能に対応する。
【００２０】
すなわち、第１の押しボタン２１が、ボタン取付部１４、１５にいずれか一方に取り付けられたとき、第１の押しボタン２１が１回押されると、モニタＴＶに映し出される画像は、静止画像となる。また、静止画像が映し出されているとき、第１の押しボタン２１がさらに押されると、モニタＴＶ上の静止画像は動画像に戻る。
【００２１】
第２の押しボタン２２が、ボタン取付部１４、１５のいずれか一方に取り付けられたとき、第２の押しボタン２２が押されると、押されたときのモニタＴＶ上の画像の１コマが、静止画像としてプロセッサ内に記録される。
【００２２】
第３の押しボタン２３が、ボタン取付部１４、１５のいずれか一方に取り付けられたとき、第３の押しボタン２３が押されると、エンハンス（輪郭強調）がオンの状態となり、第３の押しボタン２２が押される度に、「Ｌｏｗ」から「Ｍｉｄｄｌｅ」、「Ｈｉｇｈ」と、即ちエンハンスの程度が弱から強へと順次移行し、次いでエンハンスがオフの状態に戻る。
【００２３】
第４の押しボタン２４が、ボタン取付部１４、１５のいずれか一方に取り付けられたとき、第２の押しボタン２４が押されると、自動調光における測光モードが切り替えられ、第４の押しボタン２４が押される度に、例えば、平均測光モードとピーク測光モードの間で交互に切り替えられる。
【００２４】
すなわち、本実施形態では、ボタン取付部１４、１５に取り付ける押しボタンを任意に変更させることにより、押しボタンの機能、すなわち操作部１２から操作できる操作内容を変更させることができる。
【００２５】
図２〜５を用いてさらに本実施形態の構成について詳細に説明する。なお、図２〜５に示した第１ないし第４の押しボタン２１、２２、２３、２４において、同一の部材には同一の符号を付す。
【００２６】
ボタン取付部（凹陥部）１４、１５（図１参照）の底面には、図２に示すような第１ないし第３の電極３１、３２、３３が設けられる。第１ないし第３の電極３１、３２、３３は、それぞれ円環を呈し、同心円状に形成される。また、ここで、円環の径は、第３の電極３３が最も小さく、第１の電極３１が最も大きい。
【００２７】
第１の押しボタン２１は、円柱部４２と、円柱部４２の一方の底面に突設される略半球状の膨出部４３から形成される。円柱部４２の外周が、凹陥部（ボタン取付部）１４の周面に係合することにより、第１の押しボタン２１はボタン取付部１４に取り付けられる。押しボタン２１が取り付けられると、円柱部４２の他方の底面２５は、凹陥部の底面、すなわち第１ないし第３の電極３１、３２、３３と一定の距離を有して対向する。なお、円柱部４２の円形を呈する外周は、第１ないし第３の電極３１、３２、３３と同心円状に形成される。即ち、円柱部４２の軸の延長線上に第１ないし第３の電極３１、３２、３３の円環の中心が位置する。
【００２８】
第１の押しボタン２１は、底面２５から突出する導通部４１を有する。導通部４１は、略円柱形を呈し、底面２５の中心からずれた位置で第１および第２の電極３１、３２に対向するように配設される。第１の押しボタン２１がボタン取付部１４に取り付けられているとき、導通部４１は第１ないし第３の電極３１、３２、３３に接触しない。
【００２９】
しかし、第１の押しボタン２１の膨出部４３が押圧され、底面２５の導通部４１を含む一部がボタン取付部１４の底面に向けて沈みこむと、導通部４１は第１および第２の電極３１、３２のいずれにも接触し、第１および第２の電極３１、３２は導通する。なお、導通部４１は、その径（幅）が、第１および第２の電極３１、３２の間隔以上であって、第１および第３の電極３１、３３の間隔以下であるので、押圧されても、第１および第２の電極３１、３２に接触する一方第３の電極３３には接触しない。
【００３０】
第１ないし第３の電極３１、３２、３３には、それぞれリード線ａ、ｂ、ｃが接続される。リード線ａ、ｂ、ｃは、スコープ部１０に備えられた検出回路（図示せず）に接続される。検出回路は、第１および第２の電極３１、３２間、第２および第３の電極３２、３３間、および第１および第３の電極３１、３３間の抵抗値を検出する。プロセッサ内にはＣＰＵ（図示せず）が設けられ、ＣＰＵによって、検出された抵抗値を基にそれぞれの電極３１、３２、３３間が導通しているか否かが判定される。ＣＰＵは、例えば第１および第２の電極３１、３２が導通していると判定すると、第１の押しボタン２２が押されたと判断して、モニタＴＶに映し出される画像を、例えば動画像から静止画像にする。
【００３１】
図３は、第２の押しボタン２２を模式的に示す。ここで、第２の押しボタン２２は、導通部の構成以外は、第１の押しボタン２１と同様である。第２の導通部４５は、その形状が第１の導通部４１と同一であるが、底面２５において配設される位置が異なる。つまり、第２の導通部４５は、第１の導通部４１より底面２５の中心に近く、かつ第２および第３の電極３２、３３に対向する位置に配設される。第２の導通部４５は、第２の押しボタン２２が押圧されたとき、第２および第３の電極３２、３３両方に接触し、これによりこれらの電極間は導通する。
【００３２】
第２および第３の電極３２、３３が導通すると、ＣＰＵは第２の押しボタン２２が押されたと判定し、モニタＴＶに映し出される画像を静止画像としてプロセッサ内に記録する。
【００３３】
図４は、第３の押しボタンスイッチを示す。第３の押しボタン２３も第２の押しボタン２２と同様に、第３の導通部４６以外の構成は第１の押しボタンスイッチ２１と同様である。第３の導通部４６は、第１の電極３１に対向し、底面２５から突出する第１の導通突起４６ａと、第３の電極３３に対向し、底面２５から突出する第２の導通突起４６ｂを備える。第１の導通突起４６ａと、第２の導通突起４６ｂは第３の押しボタン２３内に設けられたリード線（図示せず）によって導通される。
【００３４】
ここで、第１および第２の導通突起４６ａ、４６ｂは、略円柱状に形成され、第３の押しボタン２３がボタン取付部１４に取り付けられたときには、第１ないし第３の電極３１、３２、３３には接触しない。
【００３５】
しかし、第３の押しボタン２３は、押圧されると、底面２５の第１および第２の導通突起４６ａ、４６ｂを含む一部が沈み込み、第１の導通突起４６ａが第１の電極３１に、第２の導通突起４６ｂが第３の電極３３にそれぞれ接触し、第１および第３の電極３１、３３が導通する。なお、第１の導通突起４６ａ、４６ｂは、その径（幅）が、それぞれ各電極間の距離（第１および第２の電極３１、３２間、または第２および第３の電極３２、３３間）より短いので、第２の電極３２には接触しない。
【００３６】
第１および第３の電極３１、３３が導通すると、ＣＰＵは第３の押しボタン２３が押圧されたと判断して、エンハンス調整を行う。なお、エンハンス調整においては、ボタンが押されるごとに、そのエンハンスの程度が前述のように順次変更させられる。
【００３７】
図５に第４の押しボタンの構成を示す。第４の押しボタン２４も、第２の押しボタン２２と同様に、第４の導通部４７以外の構成は同一である。第４の導通部４７は、その径が第１および第３の電極３１、３３間の距離と同一もしくは若干長い略円柱状に形成され、第１ないし第３の電極３１、３２、３３に対向するように底面２５の中心からずれた位置に配設される。
【００３８】
ここで、第４の押しボタン２４がボタン取付部１４に取り付けられているときに、押圧されると、第４の導通部４７が、第１、第２および第３の電極３１、３２、３３に接触し、３つの電極３１、３２、３３間は導通する。ＣＰＵは、３つの電極間が導通させられると、第４の押しボタン２４が押圧されたと判断して、自動調光における測光モードの切替を行う。
【００３９】
なお、ボタン取付部１５も、上述したようにボタン取付部１４と同様の構成を有し、凹陥部の底面には第１ないし第３の電極３１、３２、３３が設けられる。ここで、第１の押しボタン２１が、ボタン取付部１５に取り付けられ第１の押しボタン２１が押されて第１および第２の電極３１、３２が導通すると、ＣＰＵは第１の押しボタン２１が押されたと判断して、モニタＴＶに映し出される画像を動画像を静止画像、或いは静止画像を動画像にする。さらに、第２および第３の電極３２、３３間が導通した場合、第３および第１の電極３３、３１間が導通した場合、第１〜第３の電極３１、３２、３３間が導通した場合も、第１の取付部１４において各電極が導通した場合と同様である。
【００４０】
以上のように、本実施形態においては、第１ないし第４の押しボタン２１、２２、２３、２４が操作部１２に取り付けられ押されると、常に各ボタンに応じた同一の画像処理の操作が実行される。そして、第１ないし第４の押しボタン２１、２２、２３、２４の表面は、固有の色（赤、青、黄、緑色）を有する。したがって、使用者は各押しボタンの色を見ながら、使用するべき機能を有する押しボタンを容易に選択することができる。
【００４１】
図６は、第１の押しボタン２１が、ボタン取付部１４に取り付けられたときの状態を示す断面図である。図７は、第１の押しボタン２１が取り付けられ、さらに押圧されたときの状態を示す断面図である。
【００４２】
第１の押しボタン２１は、ガイドシリンダ５１と、ボタン部材５２と、ボタンカバー５３から成る。ガイドシリンダ５１は、その両端部が開放された円筒状部材である。ボタンカバー５３は、ゴム等で形成された弾性部材であって、その外部が略半球状に形成され、上述した膨出部４３を形成する。ボタンカバー５３は、その内部が筒状に形成され、ガイドシリンダ５１の上端部を塞ぐようにガイドシリンダ５１の上側から被せられている。
【００４３】
ボタンカバー５３の筒状部分の内周面には、環状に形成された凹部５５が形成される。ガイドシリンダ５１の上端部の外周面には、環状に形成された第１の鍔部５６が形成される。第１の鍔部５６は、凹部５５に嵌合し固着され、これにより、ガイドシリンダ５１とボタンカバー５３は固定される。また、押しボタン５３の筒状部分の一方の底面６７は、ボタン部材５２の内周側の上面５７に固着される。なお、第１の鍔部５６と底面６７の間は隙間が設けられているので、これによりボタンカバー５３は押圧されたとき変形しやすい。
【００４４】
ガイドシリンダ５１の下端部の外周面には、環状に形成された第２の鍔部６１（係合部）が形成される。第２の鍔部６１は、その外周面に雄ねじ部６２が形成される。第２の鍔部６１の外周面は、円柱部４２（図２参照）の外周面を形成する。第１のボタン取付部１４（凹陥部）の内周面の上部には雌ねじ部６３が形成される。雄ねじ部６２は、雌ねじ部６３に螺着されることにより、第１の押しボタン２１は第１のボタン取付部１４に取り付けられる。
【００４５】
ボタン部材５２は、略円柱状に形成され、その底面２５Ａには、導通部４１が設けられる。ボタン部材５２は、合成樹脂等によって絶縁体に形成される。導通部４１は、金属等の導電性材料によって形成される。
【００４６】
ガイドシリンダ５２の内周部には、その軸線方向（図６における上下方向）へ摺動自在にスイッチ部材５２が支持されている。したがって、ボタンカバー５３が図中下向きに押圧されると、押しボタン２１の底面２５の一部、すなわちスイッチ部材５２の底面２５Ａが沈み込み、図７に示すように、第１の導通部４１が第１および第２の電極３１、３２に接触する。また、ボタンカバー５３が押圧から解放されると、ボタンカバー５３およびスイッチ部材５２は、ボタンカバー５３の弾性力により、図６に示す状態に戻る。
【００４７】
図８に第３の押しボタン２３の断面図を示す。第３の押しボタン２３においては、スイッチ部材５２中に、リード線６４が設けられ、リード線６４は、第１および第２の導通突起４６ａ、４６ｂに接続されている。その他の構成については、第１の押しボタン２３と同様であるので、省略する。なお、第２および第４の押しボタン２２、２４の構成も先述したように導通部以外の構成は第１の押しボタン２１の構成と同様である。
【００４８】
なお、本実施形態においては、凹陥部の底面に第１ないし第３の電極３１、３２、３３が配設されたが、４以上の電極が配設されても良い。
【００４９】
また、第１ないし第３の電極３１、３２、３３は同心円状に形成されるので、第１ないし第４の押しボタン２１、２２、２３、２４が螺着されるとき、導通部の位置が周方向に多少ずれても、常に所定の電極に対向することができる。
【００５０】
また、第１ないし第４の押しボタン２１、２２、２３、２４において、それぞれの第２の鍔部６１（円柱部４２）の形状は同一であるので、第１ないし第４の押しボタン２１、２２、２３、２４は、凹陥部に容易に取り付けることができるので、内視鏡使用者の好みに応じて自由に押しボタンを配置することができる。
【図面の簡単な説明】
【００５１】
【図１】本発明の実施形態に係る内視鏡のスコープ部を模式的に示す。
【図２】第１の押しボタンと電極を模式的に示す。
【図３】第２の押しボタンと電極を模式的に示す。
【図４】第３の押しボタンと電極を模式的に示す。
【図５】第４の押しボタンと電極を模式的に示す。
【図６】ボタン取付部に取り付けられた第１の押しボタンの断面図を示す。
【図７】ボタン取付部に取り付けられた第１の押しボタンが押圧されたときの断面図を示す。
【図８】ボタン取付部に取り付けられた第３の押しボタンの断面図を示す。
【符号の説明】
【００５２】
１２  操作部
１４、１５  ボタン取付部
２１、２２、２３、２４  押しボタン
３１、３２、３３  電極
４１、４５、４６、４７  導通部
【図１】
2005276500.tif 000003
【図２】
2005276500.tif 000004
【図３】
2005276500.tif 000005
【図４】
2005276500.tif 000006
【図５】
2005276500.tif 000007
【図６】
2005276500.tif 000008
【図７】
2005276500.tif 000009
【図８】
2005276500.tif 000010